(57)【要約】【課題】遊技盤の見栄えを良好にし、かつ遊技釘を簡単かつ確実に固定する。【解決手段】遊技盤３の盤面に穿設した差込孔３ａに挿入される遊技釘４０の差込部４０１の外周に、差込孔３ａの内周面に圧接する螺旋状の凸部４０２を形成する。これにより、遊技釘４０は、凸部４０２が差込孔３ａの内周面に圧接状態で螺合して遊技盤３に植設される。【選択図】  図６
2008100046.tif 000002
【特許請求の範囲】
【請求項１】
合成樹脂製の遊技盤に、遊技球の流下方向を変化させる遊技釘を植設した弾球遊技機において、
前記遊技盤の盤面に穿設した差込孔に挿入される前記遊技釘の差込部の外周に、前記差込孔の内周面に圧接する螺旋状の凸部を形成したことを特徴とする弾球遊技機。
【請求項２】
前記螺旋状の凸部のリード角を、前記遊技釘の差込部を前記差込孔に圧入することにより、前記遊技釘が回転しつつ軸方向へ進むように設定したことを特徴とする請求項１記載の弾球遊技機。
【請求項３】
前記差込孔の内径を、前記差込孔の内周面と前記遊技釘の外周面との間に隙間が生じるように、前記遊技釘の直径より大きく設定したことを特徴とする請求項１または２記載の弾球遊技機。
【請求項４】
前記差込孔は、前記遊技盤を貫通させて設けたことを特徴する請求項１〜３のいずれかに記載の弾球遊技機。
【請求項５】
前記突部は、前記遊技釘を前記遊技盤に植設した状態において前記遊技盤の表面側に露出しないことを特徴とする請求項１〜４のいずれかに記載の弾球遊技機。
【発明の詳細な説明】
【技術分野】
【０００１】
本発明は、合成樹脂製の遊技盤に、遊技球の流下方向を変化させる多数の遊技釘を植設した弾球遊技機に関する。
【背景技術】
【０００２】
弾球遊技機（パチンコ機）においては、遊技球が打ち込まれる遊技領域を有する遊技盤の盤面に、打ち込まれた遊技球の流下方向を変化させるための多数の遊技釘が植設されている。特許文献１に記載された発明においては、遊技釘を遊技盤に固定する構成として、合成樹脂材で形成した筒状のスリーブに遊技釘を挿入し、この状態で、スリーブを遊技盤に穿設された貫通孔に圧入することによって、遊技釘を遊技盤の盤面に植設するようにしている。
【特許文献１】特開平６−２３８０３８号公報
【発明の開示】
【発明が解決しようとする課題】
【０００３】
上記特許文献１に記載された弾球遊技機においては、遊技釘がスリーブを用いて遊技盤に植設されるため、特に、遊技盤を透明な合成樹脂製で形成した場合には、スリーブが遊技盤の前面から見えてしまうため、見栄えが悪くなるだけでなく、部品点数が多くなり遊技釘の固定作業が面倒である問題を有している。
【０００４】
本発明は、上述のような課題に鑑み、見栄えを良好にし、かつ遊技釘を簡単かつ確実に遊技盤に植設することができるようにした弾球遊技機を提供することを目的とする。
【課題を解決するための手段】
【０００５】
本発明によると、上記課題は、次のようにして解決される。
（１）合成樹脂製の遊技盤に、遊技球の流下方向を変化させる遊技釘を植設した弾球遊技機において、前記遊技盤の盤面に穿設した差込孔に挿入される前記遊技釘の差込部の外周に、前記差込孔の内周面に圧接する螺旋状の凸部を形成する。
【０００６】
（２）上記(１)項において、前記螺旋状の凸部のリード角を、前記遊技釘の差込部を前記差込孔に圧入することにより、前記遊技釘が回転しつつ軸方向へ進むように設定する。
【０００７】
（３）上記(１)または(２)項において、前記差込孔の内径を、前記差込孔の内周面と前記遊技釘の外周面との間に隙間が生じるように、前記遊技釘の直径より大きく設定する。
【０００８】
（４）上記(１)〜(３)項のいずれかにおいて、前記差込孔は、前記遊技盤を貫通させて設ける。
【０００９】
（５）上記(１)〜(４)項のいずれかにおいて、前記突部は、前記遊技釘を前記遊技盤に植設した状態において前記遊技盤の表面側に露出しない。
【発明の効果】
【００１０】
本発明によれば、次のような効果が奏せられる。
請求項１記載の発明によると、遊技釘以外の部品を用いる必要がないので、遊技釘を簡単に遊技盤に植設することができると共に、遊技盤を透明な合成樹脂製としても、見栄えを良好なものとすることができる。また、遊技釘の凸部が差込孔の内周面に圧接することによって、遊技釘を強固に遊技盤に植設することができる。
【００１１】
請求項２記載の発明によると、遊技釘をより簡単かつ迅速に遊技盤に植設することができる。
【００１２】
請求項３記載の発明によると、遊技盤に植設された遊技釘の向きを調節する際、遊技釘の外周面が差込孔の縁等に当接して、遊技盤に衝撃荷重が作用することを極力防止することができる。これにより、合成樹脂製の遊技盤に亀裂が生じるような事態を防止することができる。
【００１３】
請求項４記載の発明によると、遊技釘を交換する必要が生じた場合には、工具等を用いて、差込孔に差し込まれた遊技釘の差込部の先端を押すことによって、遊技釘を遊技盤の差込孔から簡単に取り外すことができる。
【００１４】
請求項５記載の発明によると、凸部が遊技盤の表面側に露出しないため、見栄えの向上を図ることができる。
【発明を実施するための最良の形態】
【００１５】
以下、本発明の一実施形態を、図面に基づいて説明する。図１は、本発明の一実施形態を適用した弾球遊技機の正面図、図２は、前扉を開けた状態の弾球遊技機の正面図、図３は、弾球遊技機の分解斜視図、図４は、遊技盤の正面図、図５は、図４におけるＶーＶ線に沿う縦断面図、図６は、要部の拡大縦断面図、図７は、図６における矢示VII部の拡大図、図８は、遊技釘の向きを上方へ調節した場合の図７と同じ部位の拡大図である。なお、以下の説明においては、図１、２における図面手前を「前方」とし、図面奥側を「後方」とし、左方を「左方」とし、右方を「右方」とする。
【００１６】
図１〜３に示すように、弾球遊技機１は、遊技店の遊技島に据え付けられる外枠２と、外枠２内に嵌め込まれる遊技盤３と、中央部に円形のガラス板５１が嵌め込まれ、外枠２の左部に上下方向のヒンジ軸を有するヒンジ６により開閉可能に枢着された前扉５とを備え、前面右下部に設けられたハンドル４ａを時計方向へ回転操作することにより、前扉５の下方に設けられた球貯留皿４ｂに貯留されている遊技球が図示略の発射装置から後述の遊技領域９に打出されて、所定の遊技を行うことができる。
【００１７】
前扉５は、閉じるとガラス板５１を透して遊技領域９を視認することができるように遊技盤３の表面側を覆う。なお、ガラス板５１は、遊技領域９の形状、大きさとほぼ同一形状に形成される。
【００１８】
遊技盤３は、アクリル樹脂等の透明の合成樹脂板により正面視ほぼ方形に形成され、その表面には、ガイドレール７、８によって包囲される円形（楕円形を含む）の遊技領域９が形成される。ハンドル４ａの操作に基いて、発射装置から発射される遊技球は、ガイドレール７、８により誘導されて遊技領域９に打出される。なお、遊技盤３は、完全な透明である必要はなく、後述の演出画像を透視でき得る程度の半透明であっても良い。
【００１９】
主に図４に示すように、遊技盤３の遊技領域９には、遊技領域９に打出された遊技球の流下方向を変化させる多数の金属製の遊技釘４０と、遊技球の流下方向を規制する正面視ほぼ眉型の透明な合成樹脂製の球受誘導部材１０と、遊技球が通過可能な普通図柄作動ゲート１１と、遊技球が入球可能な入球口１２ａと、遊技球の流下方向を変化させる風車１３と、透明な合成樹脂製のステージ１４と、遊技球が入賞または通過可能な図柄始動口１５及び入賞口１２ｂ〜１２ｅと、遊技者にとって不利な第１状態（遊技球が実質的に入賞不能な閉鎖状態）及び遊技者にとって有利な第２状態（遊技球が入賞可能な開放状態）に遷移可能な入賞装置１６が配置されている。また、遊技領域９の最下部には、遊技領域９に打出された遊技球を遊技盤３の裏面側に排出するアウト口１７が設けられている。なお、球受誘導部材１０及びステージ１４は、完全な透明である必要はなく、後述の演出画像を透視でき得る程度の半透明であっても良い。
【００２０】
ステージ１４は、遊技盤３のほぼ中央部に穿設された横長の開口３１を貫通して、遊技盤３の裏面側に突出するように取り付けられるとともに、上面には、遊技領域９を流下する遊技球のうち入球口１２ａに入球した遊技球を受け止めて、左右、前後に転動させ得るステージ部１４１が形成され、また、前面には、ステージ部１４１を転動した遊技球のうちステージ部１４１の中央部に設けられた遊技球落下部（図示略）に落下した遊技球を図柄始動口１５の真上に排出するための遊技球排出口１４３が形成されている。
【００２１】
図３に示すように、遊技盤３の後方には、液晶ディスプレイ等により構成される演出表示装置２０が、遊技盤３の裏面から所定量離間した位置に配置される。なお、遊技盤３及び演出表示装置２０は、外枠２内に取り付けられる。
【００２２】
演出表示装置２０の横長矩形の表示部２０１には、遊技に関する演出画像及び数字や図柄等で構成される演出図柄が表示され、これらの画像及び図柄は、遊技盤３を透して遊技機１の前面から透視することができる。
【００２３】
遊技領域９に打出された遊技球が図柄始動口１５に入賞すると、これを契機に所定の確率に基づいて、演出図柄が変動表示した後、所定時間経過後、停止して確定表示される。そして、確定表示された演出図柄の組み合わせが、予め定められた表示態様、例えば、同一の数字や図柄が揃った場合には、特定遊技状態（所謂、大当り状態）を生起させ、入賞装置１６を第１状態から第２状態に遷移させ、遊技者に所定の遊技価値を付与するようになっている。
【００２４】
遊技盤３の裏面側と演出表示装置２０との間には、表示枠部材２１が介在される。表示枠部材２１は、不透明（半透明を含む）の合成樹脂製で枠状に形成され、表示部２０１の周囲と遊技盤３の裏面との間の隙間を遮蔽する。
【００２５】
図６に示すように、遊技釘４０は、円形の棒状をなすとともに、先端側（図６において左側）には、遊技盤３に予め穿設された前後方向へ貫通する差込孔３ａに挿入される差込部４０１を有し、この差込部４０１の外周面には、ヘッダー加工または転造加工等によって螺旋状に一条の凸部４０２が形成されている。
【００２６】
図７に示すように、差込孔３ａの内径Ｄ１は、遊技釘４０の直径Ｄ２よりも僅かに大きく設定され、また、凸部４０２が設けられた部分の外径Ｄ３は、差込孔３ａの内径Ｄ１よりも僅かに大きくなるように設定される。したがって、遊技釘４０の差込部４０１を遊技盤３の差込孔３ａに挿入した場合は、凸部４０２が差込孔３ａの内周面に圧接状態で螺合するとともに、差込孔３ａの内周面と遊技釘４０の外周面との間には、隙間αが生成される。なお、遊技釘４０を遊技盤３に植設した状態においては、凸部４０２は、その全ての部分が差込孔３ａ内に進入して遊技盤３の表面側には露出しない。
【００２７】
螺旋状の凸部４０２のリード角θ（図７参照）は、遊技釘４０の差込部４０１の先端を差込孔３ａに差し込んだ状態で、遊技釘４０の頭部４０３に対して軸方向へ所定の押圧力Ｆ（図６参照）を加えると、凸部４０２と差込孔４０１との間に発生する摩擦力に抗して、遊技釘４０が回転しつつ軸方向へ推進するように設定されている。
【００２８】
遊技釘４０を遊技盤３に植設するには、遊技釘４０の差込部４０１の先端を遊技盤３の前面から差込孔３ａに挿入し、工具または治具等により、遊技釘４０の頭部４０３に軸方向へ所定の押圧力Ｆを加える。すると、遊技釘４０の差込部４０１は、凸部４０２が差込孔３ａの内周面を螺旋状に削りつつ（または、差込孔３ａの内周面に圧痕を付けながら）差込孔３ａ内に深く進入する。これにより、遊技釘４０を遊技盤３の盤面に簡単かつ迅速に植設することができる。また、遊技釘４０を遊技盤３に植設した状態においては、凸部４０２が差込孔３ａの内周面に圧接状態で螺合しているため、その植設は強固である。さらには、遊技釘４０の外周面と差込孔３ａとの間に隙間αが存在するため、例えば、図８に示すように、遊技釘４０を曲げてその向きを調節する際、遊技釘４０が差込孔３ａの縁等に当接し、その衝撃が遊技盤３に直接作用することはない。よって、差込孔３ａの縁が破損したり、遊技盤３に亀裂等が生じることを極力防止することができる。
【００２９】
遊技釘４０を交換する場合には、遊技盤３の裏面側から工具を差込孔３ａに差し込んで、遊技釘４０の先端を押すことによって、遊技釘４０は、回転しつつ差込孔３ａから抜ける方向へ進んで、差込孔３ａから簡単に取り外すことができる。
【００３０】
以上、本発明の一実施形態について説明したが、本発明の要旨を逸脱しない範囲内で、上記実施形態に対して、次のような種々の変形や変更を施すことが可能である。
（ｉ）遊技盤３を、不透明な合成樹脂板とする。
（ii）遊技盤３の差込孔３ａの内周面に、遊技釘４０の凸部４０２が螺合可能な螺旋状の溝を予め形成しておく。これにより、遊技釘４０を、遊技盤３の差込孔３ａにより簡単かつ迅速に植設することができる。なお、この場合は、螺旋状の溝は、凸部４０２が圧入し得る程度の深さにするのが好ましい。
（iii）凸部４０２を、遊技盤３に植設される全ての遊技釘４０または特定の一部の遊技釘４０のみに設ける。
【図面の簡単な説明】
【００３１】
【図１】本発明の一実施形態を適用した弾球遊技機の正面図である。
【図２】前扉を開けた状態の弾球遊技機の正面図である。
【図３】弾球遊技機の分解斜視図である。
【図４】遊技盤の正面図である。
【図５】図４におけるＶーＶ線に沿う縦断面図である。
【図６】要部の拡大縦断面図である。
【図７】図６における矢示VII部の拡大図である。
【図８】遊技釘の向きを上方へ調節した場合の図７と同じ部位の拡大図である。
【符号の説明】
【００３２】
１  弾球遊技機
２  外枠
３  遊技盤
３ａ  差込孔
４ａ  ハンドル
４ｂ  球貯留皿
５  前扉
６  ヒンジ
７,８  ガイドレール
９  遊技領域
１０  球受誘導部材
１１  普通図柄作動ゲート
１２ａ  入球口
１２ｂ,１２ｃ,１２ｄ,１２ｅ  入賞口
１３  風車
１４  ステージ
１５  図柄始動口
１６  入賞装置
１７  アウト口
２０  演出表示装置
２１  表示枠部材
３１  開口
４０  遊技釘
５１  ガラス板
１４１  ステージ部
１４３  遊技球排出口
２０１  表示部
４０１  差込部
４０２  凸部
４０３  頭部
【図１】
2008100046.tif 000003
【図２】
2008100046.tif 000004
【図３】
2008100046.tif 000005
【図４】
2008100046.tif 000006
【図５】
2008100046.tif 000007
【図６】
2008100046.tif 000008
【図７】
2008100046.tif 000009
【図８】
2008100046.tif 000010